(57)【要約】【課題】ユニットスキャンにおいてスジ状の模様が発生するのを防止することの可能な表示装置およびその駆動方法ならびに電子機器を提供する。【解決手段】電源線ＰＳＬが、複数の画素行を一つのユニットＵとして、ユニットＵごとに一つずつ設けられている。複数の走査線ＷＳＬを列方向にスキャンする際に、そのスキャンの方向が所定のタイミングで反転する。複数の電源線ＰＳＬのスキャン方向についても、複数の走査線ＷＳＬのスキャン方向を反転させるタイミングと同一のタイミングで、書込線ＷＳＬのスキャン方向と同一の方向に反転する。【選択図】図３
2011145394.tif 000002
【特許請求の範囲】
【請求項１】
行状に配置された複数の走査線および複数の電源線と、列状に配置された複数の信号線と、行列状に配置された複数の画素とを含む表示部と、
各画素を駆動する駆動部と
を備え、
前記複数の電源線は、複数の画素行を１つのユニットとして、前記ユニットごとに１つずつ設けられ、
前記複数の走査線は、前記ユニットごとに複数ずつ設けられ、
前記駆動部は、各信号線に所定の信号を書き込むと共に各ユニット内の複数の走査線を列方向にスキャンする際に、そのスキャンの方向を所定のタイミングで反転させる
表示装置。
【請求項２】
前記駆動部は、当該表示装置における画像表示を切り替えたとき、当該表示装置における画像表示をオン、オフしたとき、または当該表示装置の電源をオン、オフしたときに、前記スキャンの方向を反転させる
請求項１に記載の表示装置。
【請求項３】
各画素は、発光素子および画素回路を有する
請求項１または請求項２に記載の表示装置。
【請求項４】
行状に配置された複数の走査線および複数の電源線と、列状に配置された複数の信号線と、行列状に配置された複数の画素とを含む表示部と、
各画素を駆動する駆動部と
を備え、
前記複数の電源線は、複数の画素行を１つのユニットとして、前記ユニットごとに１つずつ設けられ、
前記複数の走査線は、前記ユニットごとに複数ずつ設けられた表示装置において、各信号線に所定の信号を書き込むと共に各ユニット内の複数の走査線を列方向にスキャンする際に、そのスキャンの方向を所定のタイミングで反転させる
表示装置の駆動方法。
【請求項５】
表示装置を備え、
前記表示装置は、
行状に配置された複数の走査線および複数の電源線と、列状に配置された複数の信号線と、行列状に配置された複数の画素とを含む表示部と、
各画素を駆動する駆動部と
を備え、
前記複数の電源線は、複数の画素行を１つのユニットとして、前記ユニットごとに１つずつ設けられ、
前記複数の走査線は、前記ユニットごとに複数ずつ設けられ、
前記駆動部は、各信号線に所定の信号を書き込むと共に各ユニット内の複数の走査線を列方向にスキャンする際に、そのスキャンの方向を所定のタイミングで反転させる
電子機器。
【発明の詳細な説明】
【技術分野】
【０００１】
本発明は、画素ごとに配置した発光素子で画像を表示する表示装置およびその駆動方法に関する。また、本発明は、上記表示装置を備えた電子機器に関する。
【背景技術】
【０００２】
近年、画像表示を行う表示装置の分野では、画素の発光素子として、流れる電流値に応じて発光輝度が変化する電流駆動型の光学素子、例えば有機ＥＬ(electro luminescence)素子を用いた表示装置が開発され、商品化が進められている。有機ＥＬ素子は、液晶素子などと異なり自発光素子である。そのため、有機ＥＬ素子を用いた表示装置（有機ＥＬ表示装置）では、光源（バックライト）が必要ないので、光源を必要とする液晶表示装置と比べて画像の視認性が高く、消費電力が低く、かつ素子の応答速度が速い。
【０００３】
有機ＥＬ表示装置では、液晶表示装置と同様、その駆動方式として単純（パッシブ）マトリクス方式とアクティブマトリクス方式とがある。前者は、構造が単純であるものの、大型かつ高精細の表示装置の実現が難しいなどの問題がある。そのため、現在では、アクティブマトリクス方式の開発が盛んに行なわれている。この方式は、画素ごとに配した発光素子に流れる電流を駆動トランジスタによって制御するものである。
【０００４】
一般に、駆動トランジスタの閾値電圧Ｖthや移動度μが経時的に変化したり、製造プロセスのばらつきによって閾値電圧Ｖthや移動度μが画素ごとに異なったりする場合がある。閾値電圧Ｖthや移動度μが画素ごとに異なる場合には、駆動トランジスタに流れる電流値が画素ごとにばらつくので、駆動トランジスタのゲートに同じ電圧を印加しても、有機ＥＬ素子の発光輝度がばらつき、画面の一様性（ユニフォーミティ）が損なわれる。そこで、閾値電圧Ｖthや移動度μの変動に対する補正機能を組み込んだ表示装置が開発されている（例えば、特許文献１参照）。
【０００５】
ところで、アクティブマトリクス方式の表示装置では、信号線を駆動する水平駆動回路や、各画素を順次選択する書き込み走査回路、各画素に電力を供給する電源走査回路は、いずれも基本的にシフトレジスタ（図示せず）で構成されており、画素の各列または各行に対応して、１段ごとに信号出力部（図示せず）を備えている。そのため、画素の列および行の数が増えると、それに従って信号線やゲート線の本数が増え、シフトレジスタの出力段数もその分増加するので、表示装置の周辺回路の大型化を招いていた。
【０００６】
そこで、シフトレジスタの出力段を共用し、周辺回路の大型化を低減する方策が従来から行われている。例えば特許文献２では、信号線を複数の画素で共用化する方式が提案されている。この様にすれば、水平駆動回路内のシフトレジスタの出力段を複数の画素列で共用化でき、その分回路規模の縮小化、回路面積の縮小化、回路コストの低減化が可能になる。
【先行技術文献】
【特許文献】
【０００７】
【特許文献１】特開２００８−０８３２７２号公報
【特許文献２】特開２００６‐２５１３２２号公報
【発明の概要】
【発明が解決しようとする課題】
【０００８】
特許文献２には、水平駆動回路内のシフトレジスタの出力段を複数の画素列で共用化することが記載されていたが、書き込み走査回路や電源走査回路においてもシフトレジスタの出力段の共用化を図ることは表示装置のコストパフォーマンスを高める上で重要である。特に、電源走査回路については、電流供給能力の安定化のため、信号出力部のサイズを大きくとる必要があるので、電源走査回路内のシフトレジスタの出力段を複数の画素行で共用化し、信号出力部の数を少なくすることにより、表示装置の低コスト化および小型化を効果的に実現することができる。
【０００９】
図１３は、電源走査回路内の信号出力部が複数の画素行で共用化された表示装置の概略構成を表したものである。図１３に記載の表示装置１００では、電源線駆動回路１４０内の個々の信号出力部に電源線ＰＳＬ（ＰＳＬ１，ＰＳＬ２，……）が一つずつ接続されており、個々の電源線ＰＳＬ（ＰＳＬ１，ＰＳＬ２，……）に複数の画素行（図１３では３行）に属する画素１１１が接続されている。一方、信号線駆動回路１２０内の個々の信号出力部に信号線ＤＴＬ（ＤＴＬ１，ＤＴＬ２，……）が一つずつ接続されており、個々の信号線（ＤＴＬ１，ＤＴＬ２，……）に各行の画素１１１が一つずつ接続されている。また、書込線駆動回路１３０内の個々の信号出力部に書込線ＷＳＬ（ＷＳＬ１，ＷＳＬ２，……）が一つずつ接続されており、個々の書込線ＷＳＬ（ＷＳＬ１，ＷＳＬ２，……）に各列の画素１１１が一つずつ接続されている。
【００１０】
図１４は、図１３に記載の表示装置１００における各種波形の一例を表したものである。図１４には、電源線ＰＳＬに２種類の電圧（Ｖcc、Ｖss（＜Ｖcc））が、書込線ＷＳＬ１〜ＷＳＬ６に２種類の電圧（Ｖon、Ｖoff（＜Ｖon））が印加されている様子が示されている。図１４からわかるように、表示装置１００では、複数の画素行（図１４では３行）を一つのユニットとして、電源線ＰＳＬ（ＰＳＬ１，ＰＳＬ２，……）から各画素１１２にユニットごとに共通のタイミングでＶccとＶssが印加される。
【００１１】
例えば、図１４に示したように、同一ユニット内において、消光を開始した時（Ｔ1）から電源線ＰＳＬの電圧がＶssからＶccに上がる時（Ｔ2）までの時間がラインによって異なっている。時刻Ｔ1〜Ｔ2の期間では、駆動トランジスタに大きな逆バイアスが印加されており、同一ユニット内のラインごとに、駆動トランジスタに大きな逆バイアスが印加されている時間が異なっている。ここで、駆動トランジスタは、継続的に順バイアスを印加すると閾値電圧Ｖthがエンハンス方向にシフトし、継続的に逆バイアスを印加すると閾値電圧Ｖthがデフレ方向にシフトするという性質を有している。そのため、図１４に示したように、同一ユニット内のラインごとに逆バイアス時間が異なる駆動を行った場合に、各画素１１１を長時間駆動して、駆動トランジスタに長時間、順バイアスを印加し続けたときには、各ユニットの初段では、各ユニットの後段と比べて、駆動トランジスタの閾値電圧Ｖthがデフレ方向にシフトしてしまう。その結果、一のユニットに含まれるライン数が多すぎると、同一ユニットにおいて、最初のラインの輝度が最後のラインの輝度よりも明るくなってしまい、隣接するユニット間にスジ状の模様が発生してしまうという問題があった。
【００１２】
本発明はかかる問題点に鑑みてなされたもので、その目的は、ユニットスキャンにおいてスジ状の模様が発生するのを防止することの可能な表示装置およびその駆動方法ならびに電子機器を提供することにある。
【課題を解決するための手段】
【００１３】
本発明の表示装置は、行状に配置された複数の走査線および複数の電源線と、列状に配置された複数の信号線と、行列状に配置された複数の画素とを含む表示部を備えると共に、各画素を駆動する駆動部を備えたものである。複数の電源線は、複数の画素行を１つのユニットとして、ユニットごとに１つずつ設けられており、複数の走査線は、ユニットごとに複数ずつ設けられている。駆動部は、各信号線に所定の信号を書き込むと共に各ユニット内の複数の走査線を列方向にスキャンする際に、そのスキャンの方向を所定のタイミングで反転させるようになっている。
【００１４】
本発明の電子機器は、上記表示装置を備えたものである。
【００１５】
本発明の表示装置の駆動方法は、以下の構成を備えた表示装置において、各信号線に所定の信号を書き込むと共に各ユニット内の複数の走査線を列方向にスキャンする際に、そのスキャンの方向を所定のタイミングで反転させるステップを含むものである。
【００１６】
上記駆動方法が用いられる表示装置は、行状に配置された複数の走査線および複数の電源線と、列状に配置された複数の信号線と、行列状に配置された複数の画素とを含む表示部を備えると共に、各画素を駆動する駆動部を備えたものである。複数の電源線は、複数の画素行を１つのユニットとして、ユニットごとに１つずつ設けられており、複数の走査線は、ユニットごとに複数ずつ設けられている。
【００１７】
本発明の表示装置およびその駆動方法ならびに電子機器では、各信号線に所定の信号を書き込むと共に各ユニット内の複数の走査線を列方向にスキャンする際に、そのスキャンの方向が所定のタイミングで反転する。これにより、例えば、逆バイアス時間の相対的に短いラインが、スキャン方向が反転するたびに、各ユニットの初段側のラインになったり、各ユニットの後段側のラインになったりするので、逆バイアス時間の相対的に短いラインが各ユニット内の特定のラインに固定され続けることがない。
【発明の効果】
【００１８】
本発明の表示装置およびその駆動方法ならびに電子機器によれば、各ユニット内の複数の走査線のスキャン方向を所定のタイミングで反転させることにより、例えば、逆バイアス時間の相対的に短いラインが各ユニット内の特定のラインに固定され続けることがないようにした。これにより、特定のラインの駆動トランジスタの閾値電圧だけがデフレ方向にシフトすることがなくなる。その結果、ユニットスキャンにおいてスジ状の模様が発生するのを防止することができる。
【図面の簡単な説明】
【００１９】
【図１】本発明の一実施の形態に係る表示装置の一例を表す構成図である。
【図２】図１の画素の内部構成の一例を表す構成図である。
【図３】図１の表示装置のユニットスキャンについて説明するための概念図である。
【図４】一の画素における動作の一例について説明するための波形図である。
【図５】図１の表示装置の動作の一例について説明するための波形図である。
【図６】図１の表示装置の動作の他の例について説明するための波形図である。
【図７】上記実施の形態の表示装置を含むモジュールの概略構成を表す平面図である。
【図８】上記実施の形態の表示装置の適用例１の外観を表す斜視図である。
【図９】（Ａ）は適用例２の表側から見た外観を表す斜視図であり、（Ｂ）は裏側から見た外観を表す斜視図である。
【図１０】適用例３の外観を表す斜視図である。
【図１１】適用例４の外観を表す斜視図である。
【図１２】（Ａ）は適用例５の開いた状態の正面図、（Ｂ）はその側面図、（Ｃ）は閉じた状態の正面図、（Ｄ）は左側面図、（Ｅ）は右側面図、（Ｆ）は上面図、（Ｇ）は下面図である。
【図１３】従来の表示装置の一例を表す構成図である。
【図１４】図１３の表示装置の動作の一例について説明するための波形図である。
【発明を実施するための形態】
【００２０】
以下、発明を実施するための形態について、図面を参照して詳細に説明する。なお、説明は以下の順序で行う。
１．実施の形態（図１〜図６）
２．モジュールおよび適用例（図７〜図１２）
３．従来例（図１３、図１４）
【００２１】
＜実施の形態＞
図１は、本発明の一実施の形態に係る表示装置１の全体構成の一例を表したものである。この表示装置１は、例えば、表示パネル１０（表示部）と、駆動回路２０（駆動部）とを備えている。
【００２２】
（表示パネル１０）
表示パネル１０は、発光色の互いに異なる３種類の有機ＥＬ素子１１Ｒ，１１Ｇ，１１Ｂ（発光素子）が２次元配置された表示領域１０Ａを有している。表示領域１０Ａとは、有機ＥＬ素子１１Ｒ，１１Ｇ，１１Ｂから発せられる光を利用して映像を表示する領域である。有機ＥＬ素子１１Ｒは赤色光を発する有機ＥＬ素子であり、有機ＥＬ素子１１Ｇは緑色光を発する有機ＥＬ素子であり、有機ＥＬ素子１１Ｂは青色光を発する有機ＥＬ素子である。なお、以下では、有機ＥＬ素子１１Ｒ，１１Ｇ，１１Ｂの総称として有機ＥＬ素子１１を適宜、用いるものとする。
【００２３】
（表示領域１０Ａ）
図２は、表示領域１０Ａ内の回路構成の一例を表したものである。表示領域１０Ａ内には、複数の画素回路１２が個々の有機ＥＬ素子１１と対となって２次元配置されている。なお、本実施の形態では、一対の有機ＥＬ素子１１および画素回路１２が１つの画素１３を構成している。より詳細には、図１に示したように、一対の有機ＥＬ素子１１Ｒおよび画素回路１２が１つの画素１３Ｒ（赤色用の画素）を構成し、一対の有機ＥＬ素子１１Ｇおよび画素回路１２が１つの画素１３Ｇ（緑色用の画素）を構成し、一対の有機ＥＬ素子１１Ｂおよび画素回路１２が１つの画素１３Ｂ（青色用の画素）を構成している。さらに、互いに隣り合う３つの画素１３Ｒ，１３Ｇ，１３Ｂが１つの表示画素１４を構成している。
【００２４】
各画素回路１２は、例えば、有機ＥＬ素子１１に流れる電流を制御する駆動トランジスタＴｒ1と、信号線ＤＴＬの電圧を駆動トランジスタＴｒ1に書き込む書き込みトランジスタＴｒ2と、保持容量Ｃsとによって構成されたものであり、２Ｔｒ１Ｃの回路構成となっている。駆動トランジスタＴｒ1および書き込みトランジスタＴｒ2は、例えば、ｎチャネルＭＯＳ型の薄膜トランジスタ（ＴＦＴ（Thin Film Transistor））により形成されている。駆動トランジスタＴｒ1または書き込みトランジスタＴｒ2は、例えば、ｐチャネルＭＯＳ型のＴＦＴであってもよい。
【００２５】
表示領域１０Ａにおいて、複数の書込線ＷＳＬ（走査線）が行状に配置され、複数の信号線ＤＴＬが列状に配置されている。表示領域１０Ａには、さらに、複数の電源線ＰＳＬ（電源電圧の供給される部材）が書込線ＷＳＬに沿って行状に配置されている。各信号線ＤＴＬと各走査線ＷＳＬとの交差点近傍には、有機ＥＬ素子１１が１つずつ設けられている。各信号線ＤＴＬは、後述の信号線駆動回路２３の出力端（図示せず）と、書き込みトランジスタＴｒ2のドレイン電極およびソース電極のいずれか一方（図示せず）に接続されている。各走査線ＷＳＬは、後述の書込線駆動回路２４の出力端（図示せず）と、書き込みトランジスタＴｒ2のゲート電極（図示せず）に接続されている。各電源線ＰＳＬは、後述の電源線駆動回路２５の出力端（図示せず）と、駆動トランジスタＴｒ1のドレイン電極およびソース電極のいずれか一方（図示せず）に接続されている。書き込みトランジスタＴｒ2のドレイン電極およびソース電極のうち信号線ＤＴＬに非接続の方（図示せず）は、駆動トランジスタＴｒ1のゲート電極（図示せず）と、保持容量Ｃsの一端に接続されている。駆動トランジスタＴｒ1のドレイン電極およびソース電極のうち電源線ＰＳＬに非接続の方（図示せず）と保持容量Ｃsの他端とが、有機ＥＬ素子１１のアノード電極（図示せず）に接続されている。有機ＥＬ素子１１のカソード電極（図示せず）は、例えば、グラウンド線ＧＮＤに接続されている。
【００２６】
電源線ＰＳＬは、図３に示したように、複数の画素行を一つのユニットＵとして、ユニットＵごとに一つずつ設けられている。なお、図３には、ユニットＵが５つ設けられている場合が例示されているが、ユニット数はそれに限られるものではない。また、図３では、５つのユニットＵおよび電源線ＰＳＬに対して、上から下に向かうにつれて、１つずつ増えるサフィックスが付与されている。
【００２７】
なお、後述するように、電源線駆動回路２５における電源線ＰＳＬの走査方向は、常に、ユニットＵのサフィックスの増加方向（上から下に向かう方向）と同一方向であるとは限らない。あるときは、電源線ＰＳＬの走査方向が、ユニットＵのサフィックスの増加方向（上から下に向かう方向）と同一方向となるが、あるときは、電源線ＰＳＬの走査方向が、ユニットＵのサフィックスの減少方向（下から上に向かう方向）と同一方向となる。従って、前者の場合には、ユニットＵ１は走査方向の初回ユニットに相当し、ユニットＵ５は走査方向の最終ユニットに相当する。一方、後者の場合には、ユニットＵ１は走査方向の最終ユニットに相当し、ユニットＵ５は走査方向の初回ユニットに相当する。
【００２８】
また、後述するように、書込線駆動回路２４における各ユニットＵ内の書込線ＷＳＬの走査方向は、常に、ユニットＵのサフィックスの増加方向（上から下に向かう方向）と同一方向であるとは限らない。例えば、電源線ＰＳＬの走査方向が、ユニットＵのサフィックスの増加方向（上から下に向かう方向）と同一方向である場合には、各ユニットＵ内の書込線ＷＳＬの走査方向も、ユニットＵのサフィックスの増加方向（上から下に向かう方向）と同一方向となる。一方、電源線ＰＳＬの走査方向が、ユニットＵのサフィックスの減少方向（下から上に向かう方向）と同一方向である場合には、各ユニットＵ内の書込線ＷＳＬの走査方向も、ユニットＵのサフィックスの減少方向（下から上に向かう方向）と同一方向となる。
【００２９】
（駆動回路２０）
次に、駆動回路２０内の各回路について、図１を参照して説明する。駆動回路２０は、タイミング生成回路２１、映像信号処理回路２２、信号線駆動回路２３、書込線駆動回路２４、および電源線駆動回路２５を有している。
【００３０】
タイミング生成回路２１は、映像信号処理回路２２、信号線駆動回路２３、書込線駆動回路２４、および電源線駆動回路２５が連動して動作するように制御するものである。タイミング生成回路２１は、例えば、外部から入力された同期信号２０Ｂに応じて（同期して）、上述した各回路に対して制御信号２１Ａを出力するようになっている。
【００３１】
映像信号処理回路２２は、外部から入力された映像信号２０Ａに対して所定の補正を行うと共に、補正した後の映像信号２２Ａを信号線駆動回路２３に出力するようになっている。所定の補正としては、例えば、ガンマ補正や、オーバードライブ補正などが挙げられる。
【００３２】
信号線駆動回路２３は、制御信号２１Ａの入力に応じて（同期して）、映像信号処理回路２２から入力された映像信号２２Ａ（信号電圧Ｖsig）を各信号線ＤＴＬに印加して、選択対象の画素１３に書き込むものである。なお、書き込みとは、駆動トランジスタＴｒ1のゲートに所定の電圧を印加することを指している。
【００３３】
信号線駆動回路２３は、例えばシフトレジスタ（図示せず）によって構成されており、画素１３の各列に対応して、１段ごとに信号出力部（図示せず）を備えている。この信号線駆動回路２３は、制御信号２１Ａの入力に応じて（同期して）、各信号線ＤＴＬに対して、３種類の電圧（Ｖers、Ｖofs、Ｖsig）を出力可能となっている。具体的には、信号線駆動回路２３は、各画素１３に接続された信号線ＤＴＬを介して、書込線駆動回路２４により選択された画素１３へ３種類の電圧（Ｖers、Ｖofs、Ｖsig）を順番に供給するようになっている。
【００３４】
ここで、ＶofsはＶersよりも低い電圧値（固定値）となっている。また、Ｖsigは、映像信号２２Ａに対応する電圧値となっている。Ｖsigの最小電圧はＶofsよりも低い電圧値となっており、Ｖsigの最大電圧はＶofsよりも高い電圧値となっている。
【００３５】
書込線駆動回路２４は、例えばシフトレジスタ（図示せず）によって構成されており、画素１３の各行に対応して、１段ごとに信号出力部（図示せず）を備えている。この書込線駆動回路２４は、制御信号２１Ａの入力に応じて（同期して）、各書込線ＷＳＬに対して、３種類の電圧（Ｖon、Ｖoff1、Ｖoff2）を出力可能となっている。具体的には、書込線駆動回路２４は、各画素１３に接続された書込線ＷＳＬを介して、駆動対象の画素１３へ３種類の電圧（Ｖon、Ｖoff1、Ｖoff2）を供給し、書き込みトランジスタＴｒ2を制御するようになっている。
【００３６】
ここで、電圧Ｖonは、書き込みトランジスタＴｒ2のオン電圧以上の値となっている。Ｖonは、後述の消光時や閾値補正時に、書込線駆動回路２４から出力される電圧値である。Ｖoff1、Ｖoff2は、書き込みトランジスタＴｒ2のオン電圧よりも低い値となっており、かつ、Ｖonよりも低い値となっている。Ｖoff2は、Ｖoff1よりも低い電圧値となっている。
【００３７】
書込線駆動回路２４は、各ユニットＵ内の複数の書込線ＷＳＬを、上から下に向かう方向にスキャンするか、またはその逆に、下から上に向かう方向にスキャンするようになっている。書込線駆動回路２４は、複数の走査線ＷＳＬを列方向にスキャンする際に、そのスキャンの方向を所定のタイミングで反転させることが可能となっている。書込線駆動回路２４は、例えば、（１）表示装置１における画像表示を切り替えたとき、（２）表示装置１における画像表示をオン、オフしたとき、または（３）表示装置１の電源をオン、オフしたときに、スキャンの方向を反転させるようになっている。
【００３８】
電源線駆動回路２５は、例えばシフトレジスタ（図示せず）によって構成されており、各ユニット（Ｕ１〜Ｕ５）に対応して、各ユニット（Ｕ１〜Ｕ５）に含まれる行数と等しい数の段ごとに信号出力部（図示せず）を備えている。つまり、本実施の形態では、電源線駆動回路２５内のシフトレジスタの出力段がユニット（Ｕ１〜Ｕ５）ごとに共用化されており、ユニットスキャン方式が採られている。そのため、各画素列に対応して１段ごとに信号出力部を設けた場合と比べて、電源線駆動回路２５内の信号出力部の数が少ない。
【００３９】
電源線駆動回路２５は、制御信号２１Ａの入力に応じて（同期して）、２種類の電圧（Ｖss、Ｖcc）を出力可能となっている。具体的には、電源線駆動回路２５は、各画素１３に接続された電源線ＰＳＬを介して、駆動対象の画素１３へ２種類の電圧（Ｖss、Ｖcc）を供給し、有機ＥＬ素子１１の発光および消光を制御するようになっている。
【００４０】
ここで、Ｖssは、有機ＥＬ素子１１の閾値電圧Ｖelと、有機ＥＬ素子１１のカソードの電圧Ｖcaとを足し合わせた電圧（Ｖel＋Ｖca）よりも低い電圧値である。また、Ｖccは、電圧（Ｖel＋Ｖca）以上の電圧値である。
【００４１】
電源線駆動回路２５は、書込線駆動回路２４と同様、複数の電源線ＰＳＬを、上から下に向かう方向にスキャンするか、またはその逆に、下から上に向かう方向にスキャンするようになっている。電源線駆動回路２５は、複数の電源線ＰＳＬを列方向にスキャンする際に、そのスキャンの方向を所定のタイミングで反転させることが可能となっている。電源線駆動回路２５は、例えば、各ユニットＵ内の複数の走査線ＷＳＬのスキャン方向を反転させるタイミングと同一のタイミングで、複数の電源線ＰＳＬのスキャン方向を、書込線ＷＳＬのスキャン方向と同一の方向に反転させるようになっている。
【００４２】
次に、本実施の形態の表示装置１の動作（消光から発光までの動作）の一例について説明する。本実施の形態では、駆動トランジスタＴｒ1の閾値電圧Ｖthや移動度μが経時変化したりしても、それらの影響を受けることなく、有機ＥＬ素子１１の発光輝度を一定に保つようにするために、閾値電圧Ｖthや移動度μの変動に対する補正動作が組み込まれている。
【００４３】
図５は、表示装置１の一の画素１３に印加される電圧波形の一例を表したものである。具体的には、電源線ＰＳＬに２種類の電圧（Ｖss、Ｖcc）が、信号線ＤＴＬに３種類の電圧（Ｖsig、Ｖers、Ｖofs）が、書込線ＷＳＬに３種類の電圧（Ｖon、Ｖoff1、Ｖoff2）が印加されている様子が示されている。さらに、図５には、電源線ＰＳＬ、信号線ＤＴＬおよび書込線ＷＳＬへの電圧印加に応じて、駆動トランジスタＴｒ1のゲート電圧Ｖgおよびソース電圧Ｖsが時々刻々変化している様子が示されている。なお、上記したＶelは、有機ＥＬ素子１１の閾値電圧である。
【００４４】
（消光期間）
まず、有機ＥＬ素子１１の消光を行う。具体的には、電源線ＰＳＬの電圧がＶcc1となっており、かつ信号線ＤＴＬの電圧がＶersとなっている時に、書込線駆動回路２４が書込線ＷＳＬの電圧をＶoff1からＶonに上げ（Ｔ1）、駆動トランジスタＴｒ1のゲートを信号線ＤＴＬに接続する。すると、駆動トランジスタＴｒ1のゲート電圧Ｖgが下がり始め、保持容量Ｃsを介したカップリングにより駆動トランジスタＴｒ1のソース電圧Ｖsも下がり始める。その後、ゲート電圧ＶgがＶersとなり、ソース電圧ＶsがＶel＋Ｖca（Ｖcaは有機ＥＬ素子１１のカソード電圧）となり、有機ＥＬ素子１１が消光したときに書込線駆動回路２４が書込線ＷＳＬの電圧をＶonからＶoff2に下げ、駆動トランジスタＴｒ1のゲートをフローティングにする（Ｔ2）。
【００４５】
（閾値補正準備期間）
次に、閾値補正の準備を行う。具体的には、書込線ＷＳＬの電圧がＶoff2となっている時に、電源線駆動回路２５が電源線ＰＳＬの電圧をＶccからＶssに下げる（Ｔ3）。すると、駆動トランジスタＴｒ1の電源線ＰＳＬ側がソースとなって駆動トランジスタＴｒ1のドレイン−ソース間に電流Ｉdが流れ、ゲート電圧ＶgがＶss＋Ｖthとなったところで、電流Ｉdが止まる。このとき、ソース電圧ＶsがＶel＋Ｖca−（Ｖers−（Ｖss＋Ｖth）となっており、電位差ＶgsがＶthよりも小さくなっている。
【００４６】
続いて、電源線駆動回路２５が電源線ＰＳＬの電圧をＶssからＶccに上げる（Ｔ4）。すると、駆動トランジスタＴｒ1のドレイン−ソース間に電流Ｉdが流れ、ゲート電圧Ｖgおよびソース電圧Ｖsが、駆動トランジスタＴｒ1のゲート−ドレイン間の寄生容量と、保持容量Ｃsとの容量結合によって上昇する。このとき、電位差Ｖgsは依然としてＶthよりも小さくなっている。
【００４７】
（最初の閾値補正期間）
次に、閾値補正を行う。具体的には、電源線ＰＳＬの電圧がＶccとなっており、かつ信号線ＤＴＬの電圧がＶofs（波高値の固定された閾値補正信号）となっている時に、書込線駆動回路２４が書込線ＷＳＬの電圧をＶoff2からＶonに上げて、書込線ＷＳＬに選択パルスを印加する（Ｔ5）。すると、駆動トランジスタＴｒ1のドレイン−ソース間に電流Ｉdが流れ、ゲート電圧Ｖgおよびソース電圧Ｖsが、駆動トランジスタＴｒ1のゲート−ドレイン間の寄生容量と、保持容量Ｃsとの容量結合によって上昇する。ここで、保持容量Ｃsが有機ＥＬ素子１１の素子容量よりも極めて小さく、ソース電圧Ｖsの上昇量がゲート電圧Ｖgの上昇量よりも十分に小さいので、電位差Ｖgsが大きくなる。そして、電位差ＶgsがＶthよりも大きくなった段階で、書込線駆動回路２４が書込線ＷＳＬの電圧をＶonからＶoff1に下げる（Ｔ6）。すると、駆動トランジスタＴｒ1のゲートがフローティングとなり、閾値補正が一旦停止する。
【００４８】
（最初の閾値補正休止期間）
閾値補正が休止している期間中は、例えば、先の閾値補正を行った行（画素）とは異なる他の行（画素）において、信号線ＤＴＬの電圧のサンプリングが行われる。なお、このとき、先の閾値補正を行った行（画素）において、ソース電圧ＶsがＶofs−Ｖthよりも低いので、閾値補正休止期間中にも、先の閾値補正を行った行（画素）において、駆動トランジスタＴｒ1のドレイン−ソース間に電流Ｉdが流れ、ソース電圧Ｖsが上昇し、保持容量Ｃsを介したカップリングによりゲート電圧Ｖgも上昇する。
【００４９】
（２回目の閾値補正期間）
閾値補正休止期間が終了した後、閾値補正を再び行う。具体的には、信号線ＤＴＬの電圧がＶofsとなっており、閾値補正が可能となっている時に、書込線駆動回路２４が書込線ＷＳＬの電圧をＶoff1からＶonに上げ（Ｔ5）、駆動トランジスタＴｒ1のゲートを信号線ＤＴＬに接続する。このとき、ソース電圧ＶsがＶofs−Ｖthよりも低い場合（閾値補正がまだ完了していない場合）には、駆動トランジスタＴｒ1がカットオフするまで（電位差ＶgsがＶthになるまで）、駆動トランジスタＴｒ1のドレイン−ソース間に電流Ｉdが流れる。その後、信号線駆動回路２３が信号線ＤＴＬの電圧をＶofsからＶsigに切り替える前に、書込線駆動回路２４が書込線ＷＳＬの電圧をＶonからＶoff1に下げる（Ｔ6）。すると、駆動トランジスタＴｒ1のゲートがフローティングとなるので、電位差Ｖgsを信号線ＤＴＬの電圧の大きさに拘わらず一定に維持することができる。
【００５０】
なお、この閾値補正期間において、保持容量ＣsがＶthに充電され、電位差ＶgsがＶthとなった場合には、閾値補正を終了するが、電位差ＶgsがＶthにまで到達しなかった場合には、電位差ＶgsがＶthに到達するまで、閾値補正と、閾値補正休止とを繰り返し実行する。
【００５１】
（書き込み・μ補正期間）
閾値補正休止期間が終了した後、書き込みとμ補正を行う。具体的には、信号線ＤＴＬの電圧がＶsigとなっている間に、書込線駆動回路２４が書込線ＷＳＬの電圧をＶoff1からＶonに上げ（Ｔ7）、駆動トランジスタＴｒ1のゲートを信号線ＤＴＬに接続する。すると、駆動トランジスタＴｒ1のゲートの電圧がＶsigとなる。このとき、有機ＥＬ素子１１のアノードの電圧はこの段階ではまだ有機ＥＬ素子１１の閾値電圧Ｖelよりも小さく、有機ＥＬ素子１１はカットオフしている。そのため、電流Ｉdは有機ＥＬ素子１１の素子容量に流れ、素子容量が充電されるので、ソース電圧ＶsがΔＶだけ上昇し、やがて電位差ＶgsがＶsig＋Ｖth−ΔＶとなる。このようにして、書き込みと同時にμ補正が行われる。
【００５２】
（発光）
最後に、書込線駆動回路２４が書込線ＷＳＬの電圧をＶonからＶoff1に下げる（Ｔ8）。すると、駆動トランジスタＴｒ1のゲートがフローティングとなり、駆動トランジスタＴｒ1のドレイン−ソース間に電流Ｉdが流れ、ソース電圧Ｖsが上昇する。その結果、有機ＥＬ素子１１が所望の輝度で発光する。
【００５３】
図５、図６は、表示装置１における各ユニットＵに印加される各種波形の一例を表したものである。図５には、電源線ＰＳＬ１，ＰＳＬ２に２種類の電圧（Ｖss、Ｖcc）が印加されるとともに、書込線ＷＳＬ１〜ＷＳＬ６に３種類の電圧（Ｖon、Ｖoff1、Ｖoff2）が印加されている様子が示されている。図６には、電源線ＰＳＬ４，ＰＳＬ５に２種類の電圧（Ｖss、Ｖcc）が印加されるとともに、書込線ＷＳＬ１０〜ＷＳＬ１５に３種類の電圧（Ｖon、Ｖoff1、Ｖoff2）が印加されている様子が示されている。
【００５４】
本実施の形態の表示装置１では、書込線駆動回路２４は、複数の走査線ＷＳＬを列方向にスキャンする際に、そのスキャンの方向を、上述した所定のタイミングで反転させる。さらに、電源線駆動回路２５は、複数の走査線ＷＳＬのスキャン方向を反転させるタイミングと同一のタイミングで、複数の電源線ＰＳＬのスキャン方向を、書込線ＷＳＬのスキャン方向と同一の方向に反転させる。具体的には、書込線駆動回路２４および電源線駆動回路２５は、あるときに、例えば、図５に示したように、複数の書込線ＷＳＬおよび複数の電源線ＰＳＬを、上から下に向かう方向にスキャンするが、上述した所定のタイミングを経過したときから、例えば、図６に示したように、複数の書込線ＷＳＬおよび複数の電源線ＰＳＬを、下から上に向かう方向にスキャンする。
【００５５】
本実施の形態の表示装置１では、上記のようにして、各画素１３において画素回路１２がオンオフ制御され、各画素１３の有機ＥＬ素子１１に駆動電流が注入されることにより、正孔と電子とが再結合して発光が起こり、その光が外部に取り出される。その結果、表示パネル１０の表示領域１０Ａにおいて画像が表示される。
【００５６】
ところで、例えば、図１３に示したような従来の表示装置１００におけるユニットスキャン方式では、例えば、図１４に示したように、同一ユニット内において、消光を開始した時（Ｔ1）から電源線ＰＳＬの電圧がＶssからＶccに上がる時（Ｔ2）までの時間がラインによって異なっている。時刻Ｔ1〜Ｔ2の期間では、駆動トランジスタＴｒ1に大きな逆バイアスが印加されており、同一ユニット内のラインごとに、駆動トランジスタＴｒ1に大きな逆バイアスが印加されている時間が異なっている。ここで、駆動トランジスタＴｒ1は、継続的に順バイアスを印加すると閾値電圧Ｖthがエンハンス方向にシフトし、継続的に逆バイアスを印加すると閾値電圧Ｖthがデフレ方向にシフトするという性質を有している。そのため、図１４に示したように、同一ユニット内のラインごとに逆バイアス時間が異なる駆動を行った場合に、各画素１１１を長時間駆動して、駆動トランジスタＴｒ1に長時間、順バイアスを印加し続けたときには、各ユニットの初段では、各ユニットの後段と比べて、駆動トランジスタＴｒ1の閾値電圧Ｖthがデフレ方向にシフトしてしまう。その結果、一のユニットに含まれるライン数が多すぎると、同一ユニットにおいて、最初のラインの輝度が最後のラインの輝度よりも明るくなってしまい、隣接するユニット間にスジ状の模様が発生してしまうという問題があった。
【００５７】
一方、本実施の形態の表示装置１では、各ユニットＵ内の複数の走査線ＷＳＬを列方向にスキャンする際に、そのスキャンの方向が所定のタイミングで反転する。複数の電源線ＰＳＬのスキャン方向についても、各ユニットＵ内の複数の走査線ＷＳＬのスキャン方向を反転させるタイミングと同一のタイミングで、書込線ＷＳＬのスキャン方向と同一の方向に反転する。これにより、例えば、逆バイアス時間の相対的に短いラインが、スキャン方向が反転するたびに、各ユニットＵの初段側のラインになったり、各ユニットＵの後段側のラインになったりするので、逆バイアス時間の相対的に短いラインが各ユニットＵ内の特定のラインに固定され続けることがない。その結果、特定のラインの駆動トランジスタＴｒ1の閾値電圧だけがデフレ方向にシフトすることがなくなる。その結果、ユニットスキャンにおいてスジ状の模様が発生するのを防止することができる。
【００５８】
＜モジュールおよび適用例＞
以下、上記実施の形態で説明した表示装置１の適用例について説明する。上記実施の形態の表示装置１は、テレビジョン装置、デジタルカメラ、ノート型パーソナルコンピュータ、携帯電話等の携帯端末装置あるいはビデオカメラなど、外部から入力された映像信号あるいは内部で生成した映像信号を、画像あるいは映像として表示するあらゆる分野の電子機器の表示装置に適用することが可能である。
【００５９】
（モジュール）
上記実施の形態の表示装置１は、例えば、図７に示したようなモジュールとして、後述する適用例１〜５などの種々の電子機器に組み込まれる。このモジュールは、例えば、基板31の一辺に、表示領域１０Ａを封止する封止用基板３２から露出した領域２１０を設け、この露出した領域２１０に駆動回路２０の配線を延長して外部接続端子（図示せず）を形成したものである。外部接続端子には、信号の入出力のためのフレキシブルプリント配線基板（ＦＰＣ；Flexible Printed Circuit）２２０が設けられていてもよい。
【００６０】
（適用例１）
図８は、上記実施の形態の表示装置１が適用されるテレビジョン装置の外観を表したものである。このテレビジョン装置は、例えば、フロントパネル３１０およびフィルターガラス３２０を含む映像表示画面部３００を有しており、この映像表示画面部３００は、上記実施の形態に係る表示装置１により構成されている。
【００６１】
（適用例２）
図９は、上記実施の形態の表示装置１が適用されるデジタルカメラの外観を表したものである。このデジタルカメラは、例えば、フラッシュ用の発光部４１０、表示部４２０、メニュースイッチ４３０およびシャッターボタン４４０を有しており、その表示部４２０は、上記実施の形態に係る表示装置１により構成されている。
【００６２】
（適用例３）
図１０は、上記実施の形態の表示装置１が適用されるノート型パーソナルコンピュータの外観を表したものである。このノート型パーソナルコンピュータは、例えば、本体５１０，文字等の入力操作のためのキーボード５２０および画像を表示する表示部５３０を有しており、その表示部５３０は、上記実施の形態に係る表示装置１により構成されている。
【００６３】
（適用例４）
図１１は、上記実施の形態の表示装置１が適用されるビデオカメラの外観を表したものである。このビデオカメラは、例えば、本体部６１０，この本体部６１０の前方側面に設けられた被写体撮影用のレンズ６２０，撮影時のスタート／ストップスイッチ６３０および表示部６４０を有しており、その表示部６４０は、上記実施の形態に係る表示装置１により構成されている。
【００６４】
（適用例５）
図１２は、上記実施の形態の表示装置１が適用される携帯電話機の外観を表したものである。この携帯電話機は、例えば、上側筐体７１０と下側筐体７２０とを連結部（ヒンジ部）７３０で連結したものであり、ディスプレイ７４０，サブディスプレイ７５０，ピクチャーライト７６０およびカメラ７７０を有している。そのディスプレイ７４０またはサブディスプレイ７５０は、上記実施の形態に係る表示装置１により構成されている。
【００６５】
以上、実施の形態および適用例を挙げて本発明を説明したが、本発明は上記実施の形態等に限定されるものではなく、種々変形が可能である。
【００６６】
例えば、上記実施の形態等では、表示装置１がアクティブマトリクス型である場合について説明したが、アクティブマトリクス駆動のための画素回路１２の構成は上記実施の形態等で説明したものに限られず、必要に応じて容量素子やトランジスタを画素回路１２に追加してもよい。その場合、画素回路１２の変更に応じて、上述した信号線駆動回路２３、書込線駆動回路２４、電源線駆動回路２５のほかに、必要な駆動回路を追加してもよい。
【００６７】
また、上記実施の形態等では、信号線駆動回路２３、書込線駆動回路２４、電源線駆動回路２５の駆動をタイミング生成回路２１が制御していたが、他の回路がこれらの駆動を制御するようにしてもよい。また、信号線駆動回路２３、書込線駆動回路２４、電源線駆動回路２５の制御は、ハードウェア（回路）で行われていてもよいし、ソフトウェア（プログラム）で行われていてもよい。
【００６８】
また、上記実施の形態等では、画素回路１２が、２Ｔｒ１Ｃの回路構成となっていたが、デュアルゲート型のトランジスタが有機ＥＬ素子１１に直列に接続された回路構成を含んでいるものであれば、２Ｔｒ１Ｃの回路構成以外の回路構成となっていてもよい。
【００６９】
また、上記実施の形態等では、駆動トランジスタＴｒ1，書き込みトランジスタＴｒ2は、ｎチャネルＭＯＳ型の薄膜トランジスタ（ＴＦＴ（Thin Film Transistor））により形成されている場合が例示されていたが、ｐチャネルトランジスタ（例えばｐチャネルＭＯＳ型のＴＦＴ）により形成されていてもよい。ただし、その場合には、トランジスタＴｒ2のソースおよびドレインのうち電源線ＰＳＬと未接続の方と保持容量Ｃsの他端とを有機ＥＬ素子１１のカソードに接続し、有機ＥＬ素子１１のアノードをＧＮＤなどに接続することが好ましい。
【符号の説明】
【００７０】
１，１００…表示装置、１０，１１０…表示パネル、１０Ａ…表示領域、１１，１１Ｒ，１１Ｇ，１１Ｂ，１１１Ｒ，１１１Ｇ，１１１Ｂ…有機ＥＬ素子、１２…画素回路、１３，１３Ｒ，１３Ｇ，１３Ｂ，１１１…画素、１４…表示画素、２０…駆動回路、２０Ａ，２２Ａ…映像信号、２０Ｂ…同期信号、２１…タイミング生成回路、２１Ａ…制御信号、２２…映像信号処理回路、２３，１２０…信号線駆動回路、２４，１３０…書込線駆動回路、２５，１４０…電源線駆動回路、３１…基板、３２…封止用基板、２１０…領域、２２０…ＦＰＣ、３００…映像表示画面部、３１０…フロントパネル、３２０…フィルターガラス、４１０…発光部、４２０，５３０，６４０…表示部、４３０…メニュースイッチ、４４０…シャッターボタン、５１０…本体、５２０…キーボード、６１０…本体部、６２０…レンズ、６３０…スタート／ストップスイッチ、７１０…上側筐体、７２０…下側筐体、７３０…連結部、７４０…ディスプレイ、７５０…サブディスプレイ、７６０…ピクチャーライト、７７０…カメラ、Ｃs…保持容量、ＤＴＬ（ＤＴＬ１，ＤＴＬ２，……）…信号線、Ｉd…電流、ＧＮＤ…グラウンド線、ＰＳＬ（ＰＳＬ１，ＰＳＬ２，……）…電源線、Ｔｒ1…駆動トランジスタ、Ｔｒ2…書き込みトランジスタ、Ｖg…ゲート電圧、Ｖgs…電位差、Ｖs…ソース電圧、Ｖsig…信号電圧、Ｖcc，Ｖoff，Ｖofs，Ｖon，Ｖss，ΔＶ…電圧、Ｖth，Ｖel…閾値電圧、ＷＳＬ（ＷＳＬ１，ＷＳＬ２，……）…書込線、μ…移動度。
【図１】
2011145394.tif 000003
【図２】
2011145394.tif 000004
【図３】
2011145394.tif 000005
【図４】
2011145394.tif 000006
【図５】
2011145394.tif 000007
【図６】
2011145394.tif 000008
【図７】
2011145394.tif 000009
【図８】
2011145394.tif 000010
【図９】
2011145394.tif 000011
【図１０】
2011145394.tif 000012
【図１１】
2011145394.tif 000013
【図１２】
2011145394.tif 000014
【図１３】
2011145394.tif 000015
【図１４】
2011145394.tif 000016